(57)【要約】【課題】小型で、構造が簡単で、洗浄の手間を低減できる飲料の試飲装置を提供することをその目的とする。【解決手段】複数種類の飲料が充填された複数本の容器が上下反転されて回転手段に取り付けられ、当該容器の開口部には下側から押圧されることで開口部を開放する開閉手段を設け、回転手段により試飲対象の飲料が充填された容器を試飲可能位置に移動させるとともに、移動手段が、試飲のための試飲用の器を移動させて開閉手段を試飲用の器自体（または、器を移動させる際に器が載置されている載置台または、載置台と一体的に移動する部材）で押圧することで、試飲用の器に対象の飲料を注入する。【選択図】図１
2012252688.tif 000002
【特許請求の範囲】
【請求項１】
飲料が充填された複数本の容器を収納し、
前記複数本の容器の各々の開口部に設けられ、前記開口部を常時閉鎖するとともに、下側から押圧部を押圧されることで前記開口部を開放して前記容器内の飲料を排出可能とする開閉手段と、
使用者が試飲用の器を載置する載置台と、
前記載置台及び該載置台に載置された前記試飲用の器を移動させ、前記容器に設けられた前記開閉手段の前記押圧部を、前記試飲用の器、前記載置台または前記載置台と一体的に移動する部材によって押圧する搬送手段と、
を備えることを特徴とする試飲装置。
【請求項２】
前記複数本の容器のうち試飲対象の飲料が充填された容器を試飲可能位置に移動させる移動手段をさらに備え、
前記搬送手段は、前記載置台及び該載置台に載置された前記試飲用の器を移動させ、前記試飲可能位置おける、試飲対象の飲料が充填された前記容器に設けられた前記開閉手段の前記押圧部を、前記試飲用の器、前記載置台または前記載置台と一体的に移動する部材によって押圧することを特徴とする請求項１に記載の試飲装置。
【請求項３】
前記移動手段は、
飲料が充填された前記複数本の容器を上下反転した状態で保持する保持手段と、
該保持手段を鉛直方向の軸回りに回転させ前記複数本の容器のうち試飲対象の飲料が充填された容器を試飲可能位置に配置させる回転手段と、
を有することを特徴とする請求項２に記載の試飲装置。
【請求項４】
装置内部を所定の低温に維持する冷蔵機をさらに備え、
前記複数本の容器と、前記移動手段と、前記開閉手段は、装置内部に配置され、
前記載置台は、試飲時以外は装置の外部に配置され、
前記搬送手段は、試飲時に、前記載置台に載置された前記試飲用の器を、装置の外部から装置内部に移動させることを特徴とする請求項２または３に記載の試飲装置。
【請求項５】
各々の前記開閉手段に設けられた前記押圧部が押圧された回数を計数する計数手段と、
前記計数手段によって計数された、前記押圧部が押圧された回数が所定回数に達した場合に、当該開閉手段が設けられた前記容器からの試飲を禁止する試飲禁止手段をさらに備えることを特徴とする請求項１から４のいずれか一項に記載の試飲装置。
【請求項６】
装置内部を所定の低温に維持する冷蔵機をさらに備え、
前記複数本の容器、前記移動手段、前記搬送手段、前記開閉手段及び前記載置台は、装置内部に配置され、
試飲時には前記試飲用の器を装置内部の前記載置台に載置させるために開かれて装置内部を外部に開放するとともに、非試飲時には閉鎖されて装置内部と外部とを遮断する器用開き戸をさらに備えることを特徴とする請求項２または３に記載の試飲装置。
【請求項７】
前記器用開き戸が開かれている期間中は前記搬送手段の作動を禁止することを特徴とする請求項６に記載の試飲装置。
【請求項８】
前記移動手段及び飲料が充填された前記複数本の容器を外部から観察可能とする透光性の窓と、
前記移動手段及び飲料が充填された前記複数本の容器を照明する照明手段をさらに備え、
前記照明手段は前記移動手段及び飲料が充填された前記複数本の容器を、装置内部の前記窓側から照明することを特徴とする請求項２または３に記載の試飲装置。
【発明の詳細な説明】
【技術分野】
【０００１】
本発明は種々の飲料を試飲することができる試飲装置に関するものである。
【背景技術】
【０００２】
コインを投入することで飲料（例えば酒）を試飲可能とする技術としては、ボックスの内部に複数本のビン詰め酒を前側傾斜状態にして多段多列に配設し、ビン詰め酒の口部に連設した管体の先端部をボックスの正面の開口部からボックスの外に突出せしめた酒の試飲装置であって、管体の途中に貯め部を設け、貯め部内に常時一定量の酒が満たされるように構成し、ボックスにコインを投入することで、貯め部内の酒が導出されるようにしたものが提案されている（例えば、特許文献１を参照。）。
【０００３】
しかしながら、上記の従来技術では、試飲装置内に、管体や貯め部など、飲料瓶の他に飲料が直接接触する部材が設けられているため、定期的に温水による洗浄作業を行わない限り、細菌やカビなどの発生を招くおそれがあった。特に試飲対象の飲料が日本酒の場合、糖分が多く熱量が高いため、頻繁に洗浄作業を行う必要性が高い。従って、上記の従来技術においては、管体や貯め部を洗浄のために頻繁に装置から取り外さねばならないなどの不都合が存在した。また、仮に自動的に洗浄作業が行われるようにするには、試飲装置の設置に際して給排水の設備や給湯設備を必要とするので、試飲装置の設置に関わる工数やコストを増大させる要因となっていた。
【０００４】
また、断熱ボックスの内部に瓶の傾斜載置棚と、空調装置とを設置し、装置の全面部分に瓶内の飲料を外部に導く連結ホースのための連結孔と定量排出弁機構を設け、常に断熱ボックス内を飲料の貯蔵に最適な状態に維持する技術が提案されている（例えば、特許文献２を参照。）。
【０００５】
しかしながら、この場合には、試飲装置の前面から、装置内の瓶と同数の定量排出弁機構が露出しており、選択した銘柄に対応する定量排出弁機構に試飲用の器を持っていかなければならず、使い勝手が悪く、且つ装置が大型化、複雑化する不都合があった。
【先行技術文献】
【特許文献】
【０００６】
【特許文献１】特開平７−２７２１０９号公報
【特許文献２】実開平６−３１６１号公報
【発明の概要】
【発明が解決しようとする課題】
【０００７】
本発明は上記の従来技術の問題点に鑑みて案出されたものであり、小型で、構造が簡単で、洗浄の手間を低減できる飲料の試飲装置を提供することを目的とする。
【課題を解決するための手段】
【０００８】
本発明は、飲料が充填された複数本の容器が収納されており、当該容器の開口部には下側から押圧されることで開口部を開放する開閉手段を設け、使用者が試飲用の器を載置台に載置した際に、搬送手段が、試飲用の器及び載置台を移動させて試飲用の器や載置台または載置台と一体的に移動する部材で開閉手段を押圧することで、試飲用の器に対象の飲料を注入することを最大の特徴とする。
【０００９】
より詳しくは、飲料が充填された複数本の容器を収納し、
前記複数本の容器の各々の開口部に設けられ、前記開口部を常時閉鎖するとともに、下側から押圧部を押圧されることで前記開口部を開放して前記容器内の飲料を排出可能とする開閉手段と、
使用者が試飲用の器を載置する載置台と、
前記載置台及び該載置台に載置された前記試飲用の器を移動させ、前記容器に設けられた前記開閉手段の前記押圧部を、前記試飲用の器、前記載置台または前記載置台と一体的に移動する部材によって押圧する搬送手段と、
を備えることを特徴とする。
【００１０】
これによれば、使用者が載置台に載置した試飲用の器に容器から直接飲料を注入するので、試飲装置内に飲料を通過させる配管を設ける必要がない。従って、試飲装置の構造を簡略化できるとともに、飲料自体が接触する部材を、容器と、開閉手段と、試飲用の器のみに限定することができるので、洗浄対象を減少させることができる。具体的には、容器と、開閉手段と、試飲用の器とを交換式とすることで、装置自体の洗浄箇所を無くすことができ、容易に装置を清潔に維持することができる。
【００１１】
また、本発明においては、前記複数本の容器のうち試飲対象の飲料が充填された容器を試飲可能位置に移動させる移動手段をさらに備え、
前記搬送手段は、前記載置台及び該載置台に載置された前記試飲用の器を移動させ、前記試飲可能位置おける、試飲対象の飲料が充填された前記容器に設けられた前記開閉手段の前記押圧部を、前記試飲用の器、前記載置台または前記載置台と一体的に移動する部材によって押圧するようにしてもよい。
【００１２】
すなわち、本発明においては、移動手段によって試飲対象の飲料が充填された容器を試飲可能位置まで移動させ、搬送手段が、載置台に載置された試飲用の器を試飲可能位置に移動した容器の開口部まで移動させる。従って、載置台及び搬送手段は、試飲用の器を試飲可能位置まで搬送するものを一つだけ備えればよく、各容器に対して備える必要がない。これにより、装置の構造を簡略化及び小型化することができ、装置コストを低減することができる。
【００１３】
さらに、本発明によれば、試飲者が、試飲対象の飲料が充填された容器が試飲可能位置に移動して、自分が載置台に載置した試飲用の器が移動する過程を見ることができ、魅力的な視覚的効果を得ることができる。
【００１４】
また、記試飲可能位置おける、試飲対象の飲料が充填された前記容器に設けられた前記開閉手段の前記押圧部を、前記試飲用の器、前記載置台または前記載置台と一体的に移動する部材によって押圧するようにしたので、前記容器から試飲用の器に注ぐための機構を簡略化することができる。
【００１５】
また、本発明においては、前記移動手段は、
飲料が充填された前記複数本の容器を上下反転した状態で保持する保持手段と、
該保持手段を鉛直方向の軸回りに回転させ前記複数本の容器のうち試飲対象の飲料が充填された容器を試飲可能位置に配置させる回転手段と、
を有するようにしてもよい。
【００１６】
これによれば、回転手段が保持手段を所定角度回転させるという簡単な動作で、試飲対象の飲料が充填された容器を試飲可能位置に移動させることができる。また、容器内の飲料を自重のみの作用で試飲用の器に注ぐことができるので、機構を簡略化することができる。
【００１７】
また、本発明においては、装置内部を所定の低温に維持する冷蔵機をさらに備え、
前記複数本の容器と、前記移動手段と、前記開閉手段は、装置内部に配置され、
前記載置台は、試飲時以外は装置の外部に配置され、
前記搬送手段は、試飲時に、前記載置台に載置された前記試飲用の器を、装置の外部から装置内部に移動させるようにしてもよい。
【００１８】
これによれば、試飲用の飲料を常に低温保存することが可能である。また、冷蔵機によって冷却された装置内部を、必要最低限の機会に必要最低限の量だけ開放すればよいので、冷蔵装置の冷蔵効率を向上させることが可能である。
【００１９】
また、本発明においては、各々の前記開閉手段に設けられた前記押圧部が押圧された回数を計数する計数手段と、
前記計数手段によって計数された、前記押圧部が押圧された回数が所定回数に達した場合に、当該開閉手段が設けられた前記容器からの試飲を禁止する試飲禁止手段をさらに備えるようにしてもよい。
【００２０】
これによれば、各容器内の飲料の残量が少なくなり試飲不可能となる状態を、センサで水面高さを測るなどの処理なしに検出することが可能である。これにより、装置内の電気配線を可及的に減少させることができ、装置構成をより単純化できる。その結果、洗浄作業がより容易になり、装置コストを低減することが可能になる。
【００２１】
また、本発明においては、装置内部を所定の低温に維持する冷蔵機をさらに備え、
前記複数本の容器と、前記移動手段、前記搬送手段、前記開閉手段及び前記載置台は、装置内部に配置され、
試飲時には前記試飲用の器を装置内部の前記載置台に載置させるために開かれて装置内部を外部に開放するとともに、非試飲時には閉鎖されて装置内部と外部とを遮断する器用開き戸をさらに備えるようにしてもよい。これによれば、簡単な機構で搬送手段を構成可能で装置コストの低減を促進できる。また、装置内部の密閉性を向上させることができ、装置内部を冷蔵する際の効率を向上させることが可能である。
【００２２】
また、この場合は、前記器用開き戸が開かれている期間中は前記搬送手段の作動を禁止するようにしてもよい。そうすれば、器用開き戸が開放され外部から人の手や異物が侵入可能な状態で前記搬送手段が作動することを防止できる。従って、装置の信頼性及び安全性を向上させることができる。
【００２３】
また、本発明においては、前記移動手段及び飲料が充填された前記複数本の容器を外部から観察可能とする透光性の窓と、
前記移動手段及び飲料が充填された前記複数本の容器を照明する照明手段をさらに備え、
前記照明手段は前記移動手段及び飲料が充填された前記複数本の容器を、装置内部の前記窓側から照明するようにしてもよい。
【００２４】
これによれば、外部から、前記移動手段及び飲料が充填された前記複数本の容器をより明瞭に観察することが可能となり、試飲対象をより明確に認識することができるとともに、移動手段及び容器の動きをより明確に観察することができ、魅力的な視覚的効果を得ることが可能となる。
【００２５】
なお、上記した本発明の課題を解決する手段については、可能なかぎり組み合わせて用いることができる。
【発明の効果】
【００２６】
本発明にあっては、試飲装置を小型化しまたは、構造を簡略化することができ、さらに、装置の洗浄方法を簡略化することができる。
【図面の簡単な説明】
【００２７】
【図１】本発明の実施例１における試飲装置の概略構成を示す図である。
【図２】本発明の実施例１における運搬装置の水平方向の搬送機能を説明するための図である。
【図３】本発明の実施例１における運搬装置の垂直方向の搬送機能を説明するための図である。
【図４】本発明の実施例１における酒瓶の移動方法のバリエーションについて説明するための図である。
【図５】本発明の実施例２における試飲装置の概略構成を示す図である。
【図６】本発明の実施例３における試飲装置の概略構成を示す図である。
【図７】本発明の実施例３における回転機構の概略構成を示す図である。
【図８】本発明の実施例３における回転機構を上からみた図である。
【図９】本発明の実施例３における回転機構の詳細を説明するための図である。
【図１０】本発明の実施例３における定量排出機構および定量排出機構ホルダの概略構成および取り付け方法を説明するための図である。
【図１１】本発明の実施例３における回転機構及び昇降機構の概略構成を示す図である。
【図１２】本発明の実施例３における昇降機構の概略構成を示す斜視図である。
【図１３】本発明の実施例３におけるメッセージ表示部に表示されるメッセージの例を示す図である。
【図１４】本発明の実施例３における昇降機構の作動を説明するための図である。
【発明を実施するための形態】
【００２８】
以下、本発明に係る試飲装置について、図面を参照して詳細に説明する。
【００２９】
〔実施例１〕
図１には、本発明の実施例に係る酒の試飲装置１の概略構成について示す。図１（ａ）は、試飲装置１の平面図を、図１（ｂ）は、試飲装置１の正面図を示す。試飲装置１の正面には透光性の開き戸２が設けられており、内部の機構を見ることが可能となっている。この開き戸２は、その左端部を中心に外側に回動することで開扉可能になっている。そして、この開き戸２を開閉することで、後述する酒瓶１０や定量排出機構１２を交換することが可能になる。
【００３０】
また、試飲装置１の正面には、操作部３が設けられている。操作部３には、酒の銘柄が表示された表示部３ａ、試飲する銘柄を選択するための選択ボタン３ｂ、該当する銘柄の酒が売り切れ状態で試飲できない旨を表示する売り切れ表示部３ｃが設けられている。表示部３ａの内部には照明装置が配置されており、暗闇でも酒の銘柄を識別することが可能になっている。また、該当する銘柄の酒が売り切れ状態になった場合には、選択ボタン３ｂが押せない状態となり、売り切れ表示部３ｃの表示色が緑から橙に切り替わるようになっている。また、操作部３の下側には、コインを投入するためのコイン投入部４が設けられている。試飲者は、指定された金額のコインをコイン投入部４に投入し、操作部３で所望の飲料を選択して選択ボタン３ｂを押すという作業を行う。
【００３１】
試飲装置１内の底部付近には冷蔵機５が備えられている。この冷蔵機５によって試飲装置１の内部は５〜１０℃に維持されるようになっている。このことにより、試飲装置１内に保存されている酒類の品質を良好に維持することが可能になっている。
【００３２】
試飲装置１の開き戸２から見える部分には、保持手段としての円板状の保持部１１が軸が鉛直方向になるように設けられている。この保持部１１は、回転手段としての図示しないモータによって軸の周りに（水平方向に）回転可能となっている。また、保持部１１の外周付近には、６０度間隔で、酒瓶１０を固定するための固定部１１ａが備えられている。固定部１１ａには、酒瓶１０が注ぎ口を下にした状態で固定される。ここで、保持部１１、固定部１１ａ及びモータは、本実施例における移動手段を構成する。
【００３３】
また、酒瓶１０の注ぎ口には開閉手段としての定量排出機構１２が取り付けられている。この定量排出機構１２は、常時は注ぎ口を閉鎖しており、押圧部１２ａが猪口などの器により上側に押圧されることで、酒瓶１０の注ぎ口を開放し、酒瓶１０の中の酒をノズル１２ｂより器に注入することが可能となる。そして、器内の液面がノズル１２ｂの先端に達した時点で注入が自動的に停止する。これは、液面がノズル１２ｂの先端に達することで、酒瓶１０内に空気が侵入不可能となるため、酒瓶１０内の酒も排出不可能となる原理を用いたものである。
【００３４】
また、試飲装置１の開き戸２の下側には、試飲者が試飲用の器を載置するとともに酒が注入された器を取り上げるためのカウンタ７が備えられている。カウンタ７の近傍には、試飲者がセットした器を装置内に運搬し、この器に定量排出機構１２を押圧させて酒を注入させ、さらに酒が満たされた器を試飲者の手元に戻す搬送手段としての運搬装置１５が備えられている。この運搬装置１５の詳細について図２及び図３を用いて説明する。図２において、図２（ａ）は試飲者による試飲を待つ待機状態を示している。すなわち、試飲者が試飲用の器１５０を、載置台１５１に載置可能な状態を示す。この時点では、載置台１５１は、開き戸２の外部に、カウンタ７の上に載置されるように配置されている。
【００３５】
次に図２（ｂ）は、運搬装置１５が第一段階として器１５０を水平方向に運搬した状態を示している。運搬装置１５は、前述のように器１５０を載置する載置台１５１を備えている。また、載置台１５１を試飲装置１の前後方向に水平移動させる第一エアシリンダ１５２を備えている。その結果、載置台１５１はカウンタ７及びベース１５３に対して、前後方向（図２（ａ）における左右方向）に移動可能に第一エアシリンダ１５２と連結されている。また、第一エアシリンダ１５２はベース１５３に固定されている。
【００３６】
第一エアシリンダ１５２を作動させることで、図２（ｂ）に示すように、ロッド１５２ａ及び載置台１５１が図２（ｂ）中の矢印方向に空気圧で引き寄せられる。この際に、観音戸２ａ、２ｂは、図示しない観音戸用エアシリンダの作動により内部側に開く。そして、載置台１５１及び器１５０は、観音戸２ａ、２ｂが開いている間に観音戸２ａ、２ｂを通過して、試飲装置１の内部に移動する。
【００３７】
次に、図３について説明する。図３（ａ）は、図２（ｂ）と同等の状態、すなわち、第一エアシリンダ１５２によって載置台１５１及び器１５０が試飲装置１の内部に運搬された状態を示す。図３（ｂ）は、その後に器１５０、載置台１５１及びベース１５３が垂直上方に移動した状態を示す。図３（ｂ）に示すように、運搬装置１５は、ベース１５３を試飲装置１の上下方向に垂直移動させる第二エアシリンダ１５４を備えている。第二エアシリンダ１５４は空気圧によって上下運動可能なロッド１５４ａによってベース１５３と連結されている。
【００３８】
そして、図３（ａ）の状態において、第二エアシリンダ１５４が作動することで、ベース１５３と、第一エアシリンダ１５２、載置台１５１が試飲装置１の上側に移動する。そして、その停止位置において、器１５０は、定量排出機構１２の押圧部１２ａを押圧し、酒瓶１０内の酒が器１５０内に注入される。そして、その水面がノズル１２ｂの先端に達
した時点で注入が停止する。その後、第二エアシリンダ１５４が逆に作動し、ベース１５３と、器１５０、載置台１５１は装置内を垂直に下降し、図３（ａ）の状態に戻る。さらに第一エアシリンダ１５２が逆に作動して、図２（ａ）の待機状態と同じ位置まで戻る。その後、観音戸２ａ、２ｂが閉じ、試飲装置１内の冷気が保存される。なお、観音戸２ａ、２ｂには、閉じた状態でもロッド１５２ａが貫通可能な微小孔（図示せず）が設けられている。
【００３９】
次に、試飲装置１の試飲動作時の作動について説明する。試飲者は、試飲用の器１５０を載置台１５１に置くとともに、コイン投入口４に所定金額のコインを投入する。そして、操作部３において表示部３ａを見ながら所望の銘柄の酒を選択し、また、売り切れ表示部３ｃを見て選択した酒が売り切れていないことを確認し、選択ボタン３ｂを押す。そうすると、まず、図示しないモータの作動により保持部１１が回転して、選択された銘柄の酒の入った酒瓶１０が試飲装置１の正面まで移動する。この位置は本実施例において試飲可能位置に相当する。そして、運搬装置１５の第一エアシリンダ１５２が作動して載置台１５１及び器１５０が水平奥方向に移動するとともに、観音戸２ａ、２ｂが開く。そして、第一エアシリンダ１５２は、器１５０が試飲装置１内部に進入し、装置正面側に移動した酒瓶１０の注ぎ口の真下になる位置で停止する。なお、載置台１５１には、試飲者が試飲用の器１５０を載置台１５１に置いたことを検出するセンサ（不図示、例えば光電センサ）が設けられており、このセンサが器１５０の存在を検出しない限り、試飲者が選択ボタン３ｂを押しても、上記の作動が行われないようになっている。
【００４０】
次に、第一エアシリンダ１５２が作動している状態で、さらに第ニエアシリンダ１５４が作動する。これにより、器１５０、載置台１５１及び第一エアシリンダ１５２及びベース１５３が鉛直上側に移動する。そして、器１５０が、定量排出機構１２の押圧部１２ａを押圧した状態で停止する。従って、その停止位置において酒瓶１０内の所望の銘柄の酒が器１５０内に自重で注入される。そして、液面が定量排出機構１２のノズル１２ｂの先端の位置に達したところで、空気が酒瓶１０内に流入することができなくなるので、それ以上の酒の注入が禁止される。
【００４１】
第二エアシリンダ１５４は、停止位置において酒瓶１０から器１５０に酒が注入され停止するために充分な時間だけ正方向（図３における上方向）への作動を継続した後、逆方向（図３における下方向）に作動する。そうすると、器１５０、載置台１５１、第一エアシリンダ１５２及びベース１５３は下降し、図３（ａ）に示した垂直位置に戻る。さらに、第一エアシリンダ１５２が逆方向に作動し、器１５０及び載置台１５１が装置前方側に水平移動し、装置の外部に出て待機位置に戻る。そして、観音戸２ａ、２ｂが閉じる。これにより、試飲者は、試飲用の器１５０を取り上げて所望の銘柄の酒を試飲することが可能になる。
【００４２】
ここで、試飲装置１の使用にあたっては、予め指定された形状の器１５０が用いられる。また、酒瓶１０の容量は計測可能であるので、各々の酒瓶１０内の酒が何回の試飲で空になるかを予め知ることができる。従って、保持部材１１に保持された酒瓶１０における定量排出機構１２の作動回数から、酒瓶１０内の酒の量が充分に多いかどうかを計数手段としてのカウンタによって判定することが可能である。すなわち、酒瓶１０の交換時にカウンタをリセットしておき、その酒瓶１０が試飲者によって選択され試飲された回数をカウントすることで、酒瓶１０内の酒が無くなったか、あるいは試飲不能なほど少なくなったことを検知する。そして、本実施例では、酒瓶１０内の酒が無くなったか、あるいは試飲不能なほど少なくなったことが検知された場合には、前述のように、選択ボタン３ｂが押せない状態となり、売り切れ表示部３ｃの表示色が緑から橙に切り替わるが、この作動は装置内に設けられたマイコン（不図示）によって行われる。このマイコン及び選択ボタン３ｂ、売り切れ表示部３ｃは、本実施例において試飲禁止手段を構成する。
【００４３】
以上、説明したように、本実施例に係る試飲装置１においては、試飲者が所望の銘柄の酒を選択することで、目的の酒が入った酒瓶１０がモータと保持部材１１の作動によって試飲可能位置まで移動させる構成になっている。従って、各酒瓶１０から器１５０近傍まで酒を流動させる配管が不要となり、装置の構造を簡略化することができる。また、器１５０への酒の注入場所は１箇所に限定されるので、載置台１５１は一つだけ備えていればよく、装置全体を小型化することができる。
【００４４】
また、本実施例においては、試飲装置１の内部が５〜１０℃の低温に維持されているところ、器１５０の載置台１５１は、待機状態においては試飲装置１の外部にあり、運搬装置１５の作動によって装置内に移動するので、装置内外の物の移動を最低限に抑えることができ、冷蔵機５による装置内部の冷蔵効率を高くすることができる。なお、上記の実施例では観音戸２ａ、２ｂは、観音戸用エアシリンダで自動的に開閉する方式としたが、載置台１５１及び器１５０が通過する際に観音戸２ａ、２ｂを押し開けるような構成にしてもよい。また、観音戸２ａ、２ｂを省略して、例えば待機状態においては、載置台１５１自体が、観音戸２ａ、２ｂが設けられるべき開き戸２の開口部を閉鎖し、載置台１５１及び器１５０が装置内部に進入している間だけは開口部と外部の間の空気の流通が許可されるような構成にしてもよい。
【００４５】
さらに、本実施例では、酒瓶１０から定量排出機構１２を介して直接に器１５０に酒が注入される。従って、酒が接触する部材を必要最低限に抑えることができ、装置の洗浄が著しく簡素化される。実際には、酒瓶１０を交換する際には、酒瓶１０と定量排出機構１２とが一体となって保持部材１１から取り外されるので、試飲装置１の外部で酒瓶１０及び定量排出機構１２を洗浄すれば済む。また、交換用の酒瓶１０と洗浄済みの定量排出機構１２とを予め準備しておくことで、交換作業が簡略化するとともに、交換前後の酒が不用意に混ざり合うここともない。また、本実施例では洗浄作業のための給排水設備や給湯設備が不要であるので、試飲装置１の設置場所の自由度を大幅に向上させることができる。
【００４６】
加えて、本実施例では、各酒瓶１０内の酒の量を、センサを用いずに、定量排出機構１２の作動回数をカウントすることのみで行なっているため、センサ自体や当該センサからの配線を不要にすることができ、装置が簡略化できる。また、装置の洗浄や酒瓶の交換をより容易にすることができる。
【００４７】
なお、上記の実施例においては、酒の試飲装置を例にとって説明したが、試飲の対象は酒に限られないことは当然である。例えば試飲対象は、果汁などを含んだジュース飲料の他、コーヒー、茶、牛乳、豆乳、ココア、水、酢、焼酎、洋酒などの飲料であってもよい。しかしながら、酒（日本酒）は糖分が多く熱量が高いため、放置しておくとカビなどが非常に発生し易いことが知られている。従って、本発明に係る試飲装置を日本酒に適用することで、本発明の効果をより顕著にすることができる。
【００４８】
なお、本実施例においては、載置台１５１及び器１５０の移動のために、第一エアシリンダ１５２及び、第二エアシリンダ１５４を用いたが、載置台１５１及び器１５０を移動させるための駆動源はこれらのエアシリンダに限られない。例えば、モータとボールねじを用いた直動装置を用いてもよいし、リニアモータを用いてもよいことはもちろんである。
【００４９】
また、本実施例においては、試飲者が選択ボタン３ｂを押すことで保持部１１が回転し、選択された銘柄の酒の入った酒瓶１０が試飲装置１の正面（試飲可能位置）まで移動する構成とした。しかしながら、酒瓶１０を試飲装置１の正面（試飲可能位置）まで移動さ
せる機構はこれに限られるものではない。例えば、図４に示すような機構を用いてもよい。
【００５０】
図４（ａ）には、直線運動によって、選択された銘柄の酒の入った酒瓶１０を試飲装置１の正面まで移動させる例を示す。この場合は、円板状ではなく矩形状の保持部材２１を有しており、酒瓶１０は保持部材２１において直線状に並べられて固定されている。この保持部材２１は、図示しないモータと、ラック及びピニオンギアまたは、ボールねじを用いて、試飲装置１の幅方向（図４（ａ）の左右方向）に直線運動することが可能となっている。そして、試飲者が選択ボタン３ｂを押すことで選択された銘柄の酒瓶１０を直線的に試飲装置１の正面に移動させる。
【００５１】
これによれば、図４（ａ）に示すように、試飲装置１の厚みを抑えることが可能である。また、開き戸２ａを開放することで保持部材２１に保持されている酒瓶１０の全てを交換することが可能である。
【００５２】
次に、図４（ｂ）には、楕円状の曲線運動によって、選択された銘柄の酒の入った酒瓶１０を試飲装置１の正面まで移動させる例を示す。この場合は、保持部材３１は変形可能なベルトまたは、多部材が連結したチェーン状の部材を楕円状または長円状に形成し、この保持部材３１に酒瓶１０を複数個固定している。そして、保持部材３１は図示しないモータ及び、ベルトに圧接されたローラまたはチェーン状の部材とかみ合うギアを用いて楕円または長円の外形に沿って移動することが可能になっている。そして、試飲者が選択ボタン３ｂを押すことで選択された銘柄の酒瓶１０を楕円または長円の軌道上を移動させ試飲装置１の正面に移動させる。
【００５３】
これによれば、図４（ａ）に示すように、保持部材を円板状にした場合と比較して試飲装置１の厚みを抑えることが可能である。また、保持する酒瓶の数に応じて、楕円または長円の長さ、幅などを容易に変更することが可能である。なお、ベルトやチェーン状の部材の形状は楕円または長円に限られず、より自由な形状を採用することも可能である。
【００５４】
〔実施例２〕
次に、本発明の実施例２について説明する。実施例２においては、運搬装置は、試飲者により載置された器を前後方向には運搬せず、上下方向にのみ運搬する例について図５を用いて説明する。
【００５５】
図５（ａ）には本実施例における試飲装置２０の正面図を、図５（ｂ）にはＡ−Ａ断面図を示す。図５から判るように、本実施例における試飲装置２０では、運搬装置２５は、試飲装置２０の前後方向に器２５０を運搬する機能を有さず、上下方向にだけ運搬する機能を有する。
【００５６】
試飲者が器２５０を載置台２５１に載置し、選択ボタン３ｂを押すと、まず実施例１と同様、選択された銘柄の酒が入った酒瓶１０が試飲装置２０の正面に移動する。そして、エアシリンダ２５４が作動し載置台２５１及び器２５０を上方に押し上げる。そして、押し上げられた載置台２５１及び器２５０は、観音戸２２ａを押し開けて試飲装置２０の内部に進入する。そして、そのまま定量排出機構１２の押圧部１２ａを器２５０で押圧することで、酒瓶１０内の酒が器２５０内に注入される。
【００５７】
そして、その水面がノズル１２ｂの先端に達した時点で注入が停止し、エアシリンダ２５４が逆に作動し、器２５０と載置台２５１を装置内を垂直に下降させ、図５に示す状態に戻る。
【００５８】
本実施例によれば、運搬機構２５の構成をより簡単にすることができ、試飲装置２０のコストを低減することが可能になる。また、保持部材１１を回転させるためのモータ１１ｂをより簡単に装置内に配置することができ、このことによっても装置内の構造を簡略化することが可能になる。
【００５９】
なお、本実施例においても、酒瓶１０は、円板状の保持部材に保持され回転により試飲可能位置に移動される構成には限られない。前述のように、直線運動により移動してもよいし、ベルトやチェーン状の部材により他の曲線運動により移動してもよい。また、載置台２５１を上下に移動させる駆動源も、エアシリンダでなく、モータと、ラック、ピニオンギアあるいはボールねじなどの運動変換機構を組み合わせたものであってもよい。さらに、観音戸２２ａ、２２ｂは、フリーに構成されており載置台２５１または器２５０により押し開けられる構成としてもよいし、他の駆動源により自動的に開閉する構成としてもよい。
【００６０】
また、上記の実施例においては、試飲装置内に冷蔵機５が備えられ、装置内を冷却する例について説明したが、本発明は、冷蔵機５が備えられていない試飲装置にも適用することが可能である。その場合でも、本発明の冷気の維持効果以外の効果を充分に発揮することができる。
【００６１】
また、上記の実施例においては、器１５０または器２５０が、運搬装置の作動により、直接に定量排出機構１２の押圧部１２ａを押圧する例について説明したが、定量排出機構１２の押圧部１２ａの押圧方法はこれに限られない。例えば、器１５０、２５０ではなく、載置台１５１、２５１の一部によって押圧部１２ａを押圧するようにしてもよいし、また、載置台１５１、２５１と一体に移動する部材によって押圧部１２ａを押圧するようにしてもよい。
【００６２】
〔実施例３〕
図６には、本発明の実施例３に係る酒の試飲装置３０の概略構成について示す。図６（ａ）は、試飲装置３０の正面図を、図６（ｂ）は、試飲装置３０の側面図を示す。試飲装置３０の正面には透光性の窓２３ａを有する開き戸３２が設けられており、後述する内部の機構及び試飲用の酒瓶４０が収納された空間である機構収納室３００を外部から観察することが可能となっている。この開き戸３２は、その左端部を中心に外側に回動することで開扉可能になっている。そして、この開き戸３２を開閉することで、試飲用の酒瓶４０や定量排出機構４２を交換することが可能になる。
【００６３】
また、試飲装置３０の正面には、操作部３３が設けられている。操作部３３には、酒の銘柄が表示された表示部３３ａ、試飲する銘柄を選択するための選択ボタン３３ｂ、該当する銘柄の酒が売り切れ状態で試飲できない旨を表示する売り切れ表示部３３ｃが設けられている。表示部３３ａの内部には照明装置が配置されており、暗闇でも酒の銘柄を識別することが可能になっている。また、該当する銘柄の酒が売り切れ状態になった場合には、選択ボタン３３ｂを押しても機能しない状態となり、売り切れ表示部３３ｃの表示色が緑から橙に切り替わるようになっている。
【００６４】
また、操作部３３の下側には、コインを投入するためのコイン投入部３４が設けられている。試飲者は、試飲する際には、指定された金額のコインをコイン投入部３４に投入し、操作部３３で所望の銘柄を選択して選択ボタン３３ｂを押すという作業を行う。なお、本実施例における試飲装置３０は液晶画面であるメッセージ表示部３５を備えており、試飲者は、このメッセージ表示部３５に表示されるメッセージに従って試飲装置３０を操作すれば良くなっている。
【００６５】
本実施例においても、試飲装置３０内には図示しない冷蔵機が備えられており、この冷蔵機によって試飲装置３０の内部は５〜１０℃に維持されるようになっている。このことにより、試飲装置３０内に保存されている酒類の品質を良好に維持することが可能になっている。
【００６６】
また、試飲装置３０の開き戸３２には、試飲者が試飲用の器３５０を後述する載置台３５２に載置するための小扉である器用開き戸３６が備えられている。この器用開き戸３６は、右端を中心に開閉可能となっており、試飲者は試飲の際にはこの器用開き戸３６を開いて試飲用の器３５０を載置台３５２に載置し、器用開き戸３６を閉める。このように本実施例においては、載置台３５２は、試飲装置３０の内部に備えられており、試飲装置３０の外部には露出していない。また、この器用開き戸３６には器用開き戸３６が正常に閉扉していないことを検出する図示しない開閉センサが備えられている。そして、器用開き戸３６が正常に閉扉していない場合には、後述する昇降装置６０が作動せず、試飲用器３５０が昇降しないようになっている。従って、器用開き戸３６から機構収納室３００内に人の手や異物が差し入れられた状態で昇降装置６０が作動することが抑制され、高い安全性を確保することが可能になっている。
【００６７】
次に、図７を用いて、本実施例における回転機構５０について説明する。本実施例では、保持手段としての保持部４１が中心軸が鉛直方向を向くように設けられている。この保持部４１は、上から見て略六角形の形状を有している。そして、保持部４１は、下方から鉛直上方に延びるように機構収納室３００の床部３００ａに回転可能に備えられたメインシャフト４３の上端とその中心部において結合している。また、保持部４１の上板４１ａには、上方向から見て６０度間隔で同心円状に、垂直上方に延びるように固定用シャフト４４が設けられている。この固定用シャフト４４には、酒瓶４０を保持するための下部ホルダ４５が固定されている。
【００６８】
下部ホルダ４５は締め付け部材４５ａ及び締め付けノブ４５ｂを有しており、締め付けノブ４５ｂを回転させることにより締め付け部材４５ａが固定用シャフト４４を締め付けることで、下部ホルダ４５は固定用シャフト４４に固定される。また、締め付けノブ４５ｂを回転させて締め付け部材４５ａによる固定用シャフト４４の締め付けを緩めることで、下部ホルダ４５の高さ調整をすることが可能になっている。下部ホルダ４５は概略円筒状のホルダ部４５ｃを有しており、このホルダ部４５ｃで酒瓶４０の肩の部分を受けることで酒瓶４０を保持する。このホルダ部４５ｃにおける保持部４１の外周側にはスリット４５ｄが設けられており、このスリット４５ｄを通じて酒瓶４０を下部ホルダ４５に横方向からセットすることが可能となっている。
【００６９】
また、下部ホルダ４５にはさらに、上部ホルダ用シャフト４７が垂直上方に延びるように設けられている。そして上部ホルダ用シャフト４７の上端付近には酒瓶４０の底部を保持するための上部ホルダ４９が上下に摺動移動可能に設けられている。また、この上部ホルダ４９は、引張りバネ４８によって下方に付勢されている。
【００７０】
また、保持部４１の側板４１ｂには定量排出機構４２が定量排出機構ホルダ５２を介して固定されている。この定量排出機構４２は、常時は酒瓶４０の注ぎ口を閉鎖しており、押圧部４２ａが上側に押圧されることで、酒瓶４０の注ぎ口を開放し、酒瓶４０の中の酒を定量排出機構４２内の貯留室４２ｃに移動させる。同時に、既に貯留室４２ｃに貯留している酒をノズル４２ｂより試飲用の器３５０に注入する。このように、酒瓶４０は、その注ぎ口が定量排出機構４２に結合して支えられるとともに、肩部が下部ホルダ４５によって保持され且つ底部が上部ホルダ４９によって保持されている。このことにより、酒瓶４０は保持部４１に固定されている。
【００７１】
図８には、本実施例の回転機構５０を上から見た場合の図を示す。図８（ａ）は図７における断面Ａ−Ａ、図８（ｂ）は図７における断面Ｂ−Ｂ、図８（ｃ）は上空から見た平面図を示す。図８に示すとおり、本実施例における回転機構５０は、メインシャフト４３を中心として定量排出機構４２、酒瓶４０が上から見て同心円状（または放射状）に並んだ構成をしており、これが回転することで、外部から機構収納室３００を見る者が魅力的な視覚的効果を得ることが可能となっている。さらに、本実施例において各々の酒瓶４０において銘柄のラベルが外周側になるように酒瓶４０を保持部４１に固定することで、外部から各酒瓶４０の銘柄を視認し易くすることができる。
【００７２】
なお、図８に模式的に示すように、本実施例における機構収納室３００内には前方（開き戸３２側）から回転機構５０及び酒瓶４０を照らす照明手段としての照明装置５７を有している。また、機構収納室３００の内壁の色は白色になっている。これによれば、照明装置５７で酒瓶４０を照らし外部から見えやすくするとともに、酒瓶４０を透過した光により機構収納室３００の内壁に酒瓶４０を投影させることが可能となり、さらに回転機構５０の回転することで投影された像が動くことになる。このことにより、さらに幻影的な視覚効果を作り出すことが可能となっている。なお、照明装置５７としてはＬＥＤ照明装置を用いても良い。そうすれば、照明による酒の劣化を抑制することができる。
【００７３】
図９は、本実施例の回転機構５０において、酒瓶４０、下部ホルダ４５、定量排出機構４２を取り外した状態を示す部分断面図である。図９から分かるように、本実施例における保持部４１は、ＳＵＳなどの金属板の絞り加工により、あるいは金属板の曲げ加工及び溶接により形成されている。この保持部４１の横断面図を見ると前述のように上板４１ａと側板４１ｂとから成っていることが分かる。また、保持部４１の上板４１ａの上面に６本の固定用シャフト４４がねじ止めされている。（図には４本のみ現れている。）また、保持部４１における６面の側板４１ｂの表面には定量排出機構ホルダ５２がねじ止めされている。この定量排出機構ホルダ５２は、蓋部５２ａとホルダ本体５２ｂとからなり、蓋部５２ａとホルダ本体５２ｂとの間の隙間であるホールド部５２ｃに、定量排出機構４２の固定アーム（後述）を挟み込むことによって定量排出機構４２を固定している。この定量排出機構ホルダ５２の構成は後に詳説する。
【００７４】
保持部４１の上板４１ａの下面には、メインシャフト４３がねじ止めされている。このメインシャフト４３は機構収納室３００の床部３００ａにベアリング５１を介して回転可能に支持されている。また、機構収納室３００の床部３００ａの床下において、メインシャフト４３の下端には、第一プーリ５３が固定されている。また、機構収納室３００の床部３００ａの床下には、メインシャフト４３に回転力を与えるモータ５５が設置されている。このモータ５５は、モータ本体５５ａと減速器５５ｂからなり、減速器５５ｂの出力軸には第二プーリ５６が設けられている。第一プーリ５３と第２プーリ５６とは、タイミングベルト５４で結合されている。そして、モータ本体５５ａの回転運動が減速器５５ｂで減速され、第二プーリ５６、タイミングベルト５４、第一プーリ５３を介してメインシャフト４３に伝達される。
【００７５】
次に、図１０を用いて、定量排出機構ホルダ５２の詳細な構成について説明する。図１０（ａ）は、定量排出機構ホルダ５２を保持部４１の外周側から見た図である。定量排出機構ホルダ５２は、蓋部５２ａとホルダ本体５２ｂを有し、ホルダ本体５２ｂの中央部には紙面奥方向に溝状のホールド部５２ｃが形成されている。ホールド部５２ｃには、位置決めピン５２ｅが設けられている。蓋部５２ａはホルダ本体５２ｂに対して、図中右端の回転軸５２ｇの周りに回動可能に結合されている。また、定量排出機構ホルダ５２は、蓋部５２ａが閉じてホルダ本体５２ｂの蓋がされた状態でロックするロック部材５２ｆを有している。
【００７６】
図１０（ｂ）は、定量排出機構４２を定量排出機構ホルダ５２で固定する際の固定方法を示している。ここで定量排出機構４２には固定アーム４２ｃが設けられている。固定アーム４２ｃの下面４２ｄは定量排出機構４２の取り付け基準となっている。すなわち、押圧部４２ａやノズル４２ｂの位置の基準はこの下面４２ｄとなっており、この下面４２ｄの高さを管理することで押圧部４２ａやノズル４２ｂの高さを精度よく管理することができる。また、固定アーム４２ｃには位置決め孔４２ｅが形成されており、定量排出機構４２の水平方向の位置はこの位置決め孔４２ｅを利用して規制することが可能である。
【００７７】
定量排出機構４２を保持部４１に固定する場合には、まず、保持部４１の側板４１ｂに定量排出機構ホルダ５２のホルダ本体５２ｂをねじ止め固定し、蓋部５２ａを開いた状態とする。ここでホルダ本体５２ｂの基準面はホールド部５２ｃの底面５２ｄであり、ホルダ本体５２ｂを側板４１ｂにネジ止め固定する際には、底面５２ｄの床部３００ａからの高さ及び水平度が調整される。そして、定量排出機構４２の固定アーム４２ｃを位置決め孔４２ｅが位置決めピン５２ｅに勘合するようにホールド部５２ｃに装着する。ここで、ホールド部５２ｃの幅（紙面垂直方向の寸法）は、固定アーム４２ｃの幅（紙面垂直方向の寸法）より若干大きく設定されている。従って、固定アーム４２ｃを位置決め孔４２ｅが位置決めピン５２ｅに勘合するようにホールド部５２ｃに装着することで、定量排出機構４２の定量排出機構ホルダ５２に対する水平方向の位置を決めることが可能である。
【００７８】
そして、蓋部５２ａを閉じてロック部材５２ｆで蓋部５２ａをホルダ本体５２ｂにロックする。ここで、固定アーム４２ｃの厚みはホールド部５２ｃの高さよりも若干厚く設定されている。従って、蓋部５２ａを閉めることで、固定アーム４２ｃをホルダ本体５２ｂと蓋部５２ａで挟み込むことができ、定量排出機構４２の基準面である下面４２ｄと、ホールド部５２ｃの基準面である底面５２ｄとが密接する状態にした上で固定することが可能となる。
【００７９】
次に、本実施例における昇降機構６０について説明する。図１１には、前述の回転機構５０に加えて昇降機構６０を示す。試飲装置３０においては、試飲用の器３５０は、上述のように器用開き戸３６を開いて載置台３５２に載置されるが、この載置台３５２には試飲用の器３５０の水平方向の位置を安定させるための樹脂製のリング部３５１が設けられている。このリング部３５１は断面矩形状の部材がリング状に繋がった形状をしており、その内側に試飲用の器３５０が載置される。
【００８０】
また、載置台３５２は移動台３５３の上に固定されており、移動台３５３に連結され床部３００ａの床下に位置する図示しないエアシリンダによって上下に移動する。また、移動台３５３には２本のシャフト３５４ａが垂直上方に延びるように設けられており、この２本のシャフト３５４ａに支えられる形で押圧部材３５４が固定されている。この押圧部材３５４は、上から見て矩形状の平板形状を有しており、試飲用の器３５０の上方に相当する部分にはノズル用孔３５４ｂが形成されている。
【００８１】
また、機構収納室３００の床部３００ａには、器検出装置７０が設けられている。器検出装置７０は、投受光部シャフト７１に支持された投受光部７２と、反射部シャフト７３に支持された反射鏡７５とからなり、載置台３５２に試飲用の器３５０が載置されていることを検出する。
【００８２】
図１２は、本実施例における昇降機構６０の詳細な斜視図である。載置台３５２は、外枡３５２ａと中蓋３５２ｂからなる。外枡３５２ａは有底の枡状の形状をしており中蓋３５２ｂは枡状の器を上下反転させたような形状を有している。外枡３５２ａ及び中蓋３５２ｂはともにＳＵＳなどの金属で形成されている。そして、中蓋３５２ｂには落水孔３５２ｃが多数形成されており、試飲用の器３５０から万が一に酒がこぼれた場合や酒の飛沫
が飛んだ場合に、外枡３５２ａの内側に貯留されるようになっている。また、中蓋３５２ｂは外枡３５２ａの内側に載置されているだけであるので、容易に外して清掃することが可能となっている。
【００８３】
また、器センサ７０の投受光部７２には図示しないレーザーダイオード（以下、ＬＤともいう。）が内蔵されており、ＬＤから照射された光は、試飲用の器３５０がない場合には、載置台３５２の上空を通過して反射鏡７５で反射され投受光部７２に戻る。従って、試飲用の器３５０が載置台３５２に載置されていない場合には、投受光部７２によって検出される反射光強度は多くなる。一方、試飲用の器３５０が載置台３５２に載置されている場合には、ＬＤから照射された光は試飲用の器３５０に当たって乱反射されるため、投受光部７２によって検出される反射光の強度は弱くなる。このように投受光部７２で検出される反射光の強度によって、試飲用の器３５０が載置台３５２に載置されているか否かが判定される。
【００８４】
次に、試飲装置３０の試飲時の作動について順を追って説明する。まず初期状態においては、試飲装置３０において回転機構５０が作動しており、照明装置５７で機構収納室３００内が照明されることで、酒瓶４０がゆっくり回転している姿が外部から観賞可能な状態となっている。また、表示部３３ａが点灯し試飲対象の酒の銘柄が容易に確認状態となっている。さらに、液晶画面であるメッセージ表示部３５には、図１３に示すようなメッセージが表示されている。
【００８５】
試飲者は、試飲を行う際には先ず、メッセージ表示部３５のメッセージに従い、器用開き戸３６を開いて試飲用の器３５０を載置台３５２のリング部３５１に載置する。そして、器用開き戸３６を閉じる。これにより、昇降機構６０が作動可能な状態となる。次に、コイン投入口３４に所定金額のコインを投入する。そして、操作部３３において表示部３３ａを見ながら所望の銘柄の酒を選択し、また、売り切れ表示部３３ｃを見て選択した酒が売り切れていないことを確認し、選択ボタン３３ｂを押す。そうすると、選択された銘柄の酒の入った酒瓶４０が試飲装置３０の正面まで移動した際に、回転機構５０は一旦停止する。なお、この位置は本実施例において試飲可能位置に相当する。ここで、図１４（ａ）にはこの状態における回転機構５０及び昇降機構６０の状態を示す。
【００８６】
続いて、図１４（ｂ）に示すように、昇降機構６０の作動により載置台３５２及び押圧部材３５４が試飲用の器３５０とともに上昇する。そして、押圧部材３５４が、定量排出機構４２の押圧部４２ａを押圧した状態で停止する。そうすると、定量排出機構４２の貯留室４２ｃに一時的に貯留されている所望の銘柄の酒がノズル４２ｂから排出されノズル用孔３５４ｂを介して試飲用の器３５０内に注入される。
【００８７】
昇降機構６０は、上記の停止位置において定量排出機構４２の貯留室４２ｃ内の酒が試飲用の器３５０に注入されるのに充分な時間だけ停止した後、元の位置まで下降する。そうすると、試飲用の器３５０、載置台３５２及び押圧部材３５４は図１４（ａ）に示した位置に戻る。試飲者はこの動作を確認した後、器用開き戸３６を再度開いて中から試飲用の器３５０を取り出し試飲する。この時点で回転機構５０の回転運動は再開される。
【００８８】
以上、説明したように、本実施例に係る試飲装置３０においては、非試飲時でも常時、酒瓶４０が回転機構５０の作動によって回転している。従って、試飲機３０を見る者に非常に魅力的な視覚的効果を与える。また、機構収納室３００にはＬＥＤ照明による照明装置５７が設置されているため、照明装置５７から照射され酒瓶４０を照らす光が、酒瓶４０を透過した後、機構収納室３００の壁面に投影され、さらにその投影像自体が、酒瓶４０の回転とともに移動するため、特別な視覚的効果を生ずる。
【００８９】
また、本実施例においては、定量排出機構４２の取り付け基準である固定アーム４２ｃの下面４２ｄを、定量排出機構ホルダ５２の基準面であるホールド部５２ｃの底面５２ｄで受けて保持するため、定量排出機構４２の押圧部４２ａの高さを精度よく管理することができる。従って、昇降機構６０の昇降動作によって押圧部材３５４が定量排出機構４２の押圧部４２ａを押圧する際の、押圧量を精度よく制御することができ、定量排出機構４２から試飲用の器３５０への酒の注入量を精度よく調整することが可能である。
【００９０】
また、本実施例では、試飲者が器用開き戸３６を自分で開閉して試飲用の器３５０を載置台３５２に載置し、また、自分で器用開き戸３６を開閉して載置台３５２上の試飲用の器３５０を取り出すこととしているので、機構が簡略化でき装置コストを押えることが可能となる。また、試飲装置３０の密閉性を向上させることができ、装置内の冷蔵効果を向上させることが可能である。また、器用開き戸３６が開いている場合には昇降機構６０の作動が禁止されるので、装置の安全性を向上させることが可能である。
【００９１】
さらに、本実施例では、試飲者がメッセージ表示器３５に表示されるメッセージに従って試飲機３０の操作を続けることができるので、より容易に正確に、試飲機３０の操作を実行することが可能である。
【００９２】
なお、本実施例において搬送手段は、移動台３５３及び床部３００ａの床下に位置する図示しないエアシリンダを含んで構成される。開閉手段は定量排出機構４２を含んで構成される。保持手段は、保持部４１、下部ホルダ４５、上部ホルダ４９を含んで構成される。回転手段はモータ５５、第一プーリ５３、第二プーリ５６、タイミングベルト５４を含んで構成される。また、載置台と一体的に移動する部材は押圧部材３５４を含んで構成される。
【００９３】
なお、本実施例においても実施例１と同様、酒の試飲装置を例にとって説明したが、試飲の対象は酒に限られないことは当然である。また、本発明において移動手段は、試飲動作の有無に関わらず常時一定速度で移動（回転）をしていても構わないし、試飲動作時、例えば試飲者により試飲対象が選択された際に、移動速度（回転速度）を速くするなど変更するようにしても構わない。さらに保持部４１は上から見て略六角形である必要はなく、五角形、八角形などの多角形状あるいは円形でも構わない。
【符号の説明】
【００９４】
１・・・試飲装置
２・・・開き戸
２ａ、２ｂ・・・観音戸
３・・・操作部
４・・・コイン投入部
５・・・冷蔵機
６・・・操作部
１０・・・酒瓶
１１・・・保持部
１２・・・定量排出機構
１５・・・運搬装置
２０・・・試飲装置
２２ａ、２２ｂ・・・観音戸
２５・・・運搬装置
３０・・・試飲装置
３２・・・開き戸
３５・・・メッセージ表示部
３６・・・器用開き戸
４０・・・酒瓶
５０・・・回転機構
６０・・・昇降機構
７０・・・器検出装置
１５０・・・器
１５１・・・載置台
１５２・・・第一エアシリンダ
１５３・・・ベース
１５４・・・第二エアシリンダ
２５０・・・器
２５１・・・載置台
２５４・・・エアシリンダ
３５０・・・器
３５２・・・載置台
３５４・・・押圧部材
【図１】
2012252688.tif 000003
【図２】
2012252688.tif 000004
【図３】
2012252688.tif 000005
【図４】
2012252688.tif 000006
【図５】
2012252688.tif 000007
【図６】
2012252688.tif 000008
【図７】
2012252688.tif 000009
【図８】
2012252688.tif 000010
【図９】
2012252688.tif 000011
【図１０】
2012252688.tif 000012
【図１１】
2012252688.tif 000013
【図１２】
2012252688.tif 000014
【図１３】
2012252688.tif 000015
【図１４】
2012252688.tif 000016